(57)【要約】【課題】ＬＣＤパネルのフリッカーを減少する方法と回路を提供する。【解決手段】ＬＣＤフリッカーの減少は、スキャン信号の遅延により生成されるＬＣＤパネルフリッカーを減少させて、ＬＣＤが高い周波数で操作できるようにした調整回路（５０）を追加することによって達成される。【選択図】　図２
2004013153.tif 000002
【特許請求の範囲】
【請求項１】
液晶表示（ＬＣＤ）パネルのフリッカーを減少させる調整回路であって、
可変抵抗と、
前記ＬＣＤパネルの複数のスキャンラインと、同じ側において、一対一で接続され、各々が前記可変抵抗を介してＤＣ電圧源と結合された制御端と、コモン電圧源に結合された電源端とを備える複数のインピーダンス調整素子とからなり、各インピーダンス調整素子のインピーダンスが前記可変抵抗の抵抗値により変更されることを特徴とする調整回路。
【請求項２】
前記インピーダンス調整素子がそれぞれトランジスタであることを特徴とする請求項１に記載の調整回路。
【請求項３】
前記インピーダンス調整素子のインピーダンスが前記スキャンラインのインピーダンスより高いことを特徴とする請求項１に記載の調整回路。
【請求項４】
前記コモン電圧源は、動作中における最高電圧値と最低電圧値との間のコモン電圧値を提供することを特徴とする請求項１に記載の調整回路。
【請求項５】
ＬＣＤパネルであって、
マトリクスを形成する複数のスキャンラインと複数のデータラインと、
各スキャンラインとデータラインの交点に配置された複数の表示単位と、
前記複数のデータラインに接続されたデータドライバと、
前記複数のスキャンラインの第一端に接続されたスキャンドライバと、
可変抵抗と、
前記複数のスキャンラインの第二端に一対一で接続され、各々が前記可変抵抗を介してＤＣ電圧源と結合された制御端と、コモン電圧源に結合された電源端とを備える複数のインピーダンス調整素子と、
からなり、各インピーダンス調整素子のインピーダンスは、前記可変抵抗の抵抗値により変更されることを特徴とするＬＣＤパネル。
【請求項６】
前記インピーダンス調整素子はそれぞれトランジスタであることを特徴とする請求項５に記載のＬＣＤパネル。
【請求項７】
前記インピーダンス調整素子のインピーダンスは、前記スキャンラインのインピーダンスより高いことを特徴とする請求項５に記載のＬＣＤパネル。
【請求項８】
前記コモン電圧源は、動作中における最高電圧値と最低電圧値との間のコモン電圧値を提供することを特徴とする請求項５に記載のＬＣＤパネル。
【請求項９】
ＬＣＤパネルフリッカー減少方法であって、
複数のインピーダンス調整素子を、前記ＬＣＤパネルの複数のスキャンラインの第一端に、一対一で接続する工程と、
前記複数のインピーダンス調整素子の制御端を、可変抵抗を介してＤＣ電圧源に接続する工程と、
前記複数のインピーダンス調整素子の電圧端をコモン電圧源に接続する工程と、
前記可変抵抗の抵抗値を変更して、各インピーダンス調整素子のインピーダンスを変更し、パネルフリッカーを減少させる工程と、
からなることを特徴とするＬＣＤパネルフリッカー減少方法。
【請求項１０】
前記インピーダンス調整素子はそれぞれトランジスタであることを特徴とする請求項９に記載のＬＣＤパネルフリッカー減少方法。
【請求項１１】
前記インピーダンス調整素子のインピーダンスは、前記スキャンラインのインピーダンスより高いことを特徴とする請求項９に記載のＬＣＤパネルフリッカー減少方法。
【請求項１２】
前記コモン電圧源は、動作中における最高電圧値と最低電圧値との間のコモン電圧値を提供することを特徴とする請求項９に記載のＬＣＤパネルフリッカー減少方法。
【発明の詳細な説明】
【０００１】
【発明の属する技術分野】
本発明は、液晶ディスプレイ（ＬＣＤ）パネルのフリッカー（ｆｌｉｃｋｅｒ）を減少させる方法及び回路に関するもので、特に、ＬＣＤパネルのフリッカーを減少させるようにＬＣＤパネルに追加される調整回路（ａｄｊｕｓｔｍｅｎｔ　ｃｉｒｃｕｉｔ）に関するものである。
【０００２】
【従来の技術】
近年来、ＬＣＤが多く出まわっているが、それは、スペースが節約できるだけでなく、電力消費量を抑えることが出来るからである。大型で高解像度のＬＣＤは、例えば、陰極線管（ＣＲＴ）ディスプレイ等の公知の表示装置に取って代わりつつある。しかし、大型のＬＣＤほど、パネル上のフリッカー問題も深刻になる。
【０００３】
長時間バイアス電圧が供給されることにより、電気的破壊（ｅｌｅｃｔｒｉｃａｌ　ｂｒｅａｋｄｏｗｎ）が生じるため、ＬＣＤ駆動には一般に、ＡＣ駆動方式が用いられる。ＡＣ駆動は、データが正領域（ｐｏｓｉｔｉｖｅ　ｒｅｇｉｏｎ）と負領域（ｎｅｇａｔｉｖｅ　ｒｅｇｉｏｎ）間で変化することを意味する。図１ａは一般のＬＣＤの反転駆動型を示す図である。図１ａにおいて、“＋”は正駆動、“−”は負駆動を示している。ＬＣＤのＡＣ駆動は、フレーム反転、行反転、列反転、ドット反転に分けられる。更に、スキャン信号の電位は２種類ある。例えば、スキャンラインの電位の三状態は、それぞれ、高電位Ｖｈｉｇｈ、低電位Ｖｌｏｗ、及び、補償電位Ｖｇｃで、Ｖｈｉｇｈ＞Ｖｌｏｗ＞Ｖｇｃである。
【０００４】
図１ｂは、従来ののＬＣＤを示す図である。図１ｂにおいて、ＬＣＤはスキャンドライバ１０、データドライバ２２、ＬＣＤパネルからなる。ＬＣＤパネルは、複数のピクセル（表示単位）を制御するのに用いられる交錯したデータライン（ｄａｔａ　ｌｉｎｅ）１８ａ、１８ｂ、…、１８ｎとスキャンライン（ｓｃａｎ　ｌｉｎｅ）２０ａ、２０ｂ、…、２０ｍを備える。
【０００５】
ピクセルの一端は、コモン電圧値Ｖｃｏｍを提供するコモン電圧ソースに接続され、このような構造は、キャパシタンス・カップリング・オン・コモン（ｃａｐａｃｉｔａｎｃｅ　ｃｏｕｐｌｉｎｇ　ｏｎ　ｃｏｍｍｏｎ、Ｃｓ　ｏｎ　ｃｏｍｍｏｎ）構造である。ピクセルの一端が、電圧値を提供するもう一つのスキャンラインに接続される場合、そのような構造は、キャパシタンス・カップリング・オン・ゲート（ｃａｐａｃｉｔａｎｃｅ　ｃｏｕｐｌｉｎｇ　ｏｎ　ｇａｔｅ、Ｃｓ　ｏｎ　ｇａｔｅ）構造である。本図はキャパシタンス・カップリング・オン・ゲート構造を示す。例えば、データライン１８ａとスキャンライン２０ｂはピクセル１３を制御し、各ピクセル１３は、トランジスタ１２ｂａ、コンデンサ１４ｂａ、及び液晶セル１６ｂａを備える。
【０００６】
トランジスタ１２ｂａのゲートとドレインはそれぞれ、スキャンライン２０ｂとデータライン１８ａに接続されて、スキャンライン２０ｂ上のスキャン信号によりトランジスタ１２ｂａのｏｎ／ｏｆｆを制御して、データライン１８ａ上のデータ信号を、ピクセル１３のコンデンサ１４ｂａ、及び液晶セル１６ｂａに書き込む。コンデンサは、電圧値によりデータ信号を保存するとともに、このデータ信号により、液晶セル１６ｂａを駆動する。コンデンサ１４ｂａのもう一端はスキャンライン２０ａに接続される。スキャンライン２０ｂが可能な時、スキャンライン２０ａは電圧値を提供する。スキャンドライバ１０は、順に、スキャンライン２０ａ、２０ｂ、…、２０ｍ上のスキャン信号を出力し、ピクセルの列上のトランジスタは即座にオンにし、他の列のトランジスタはオフにする。
【０００７】
トランジスタがオンになる時、データドライバ２２は、表示されるイメージデータに従って、データライン１８ａ、１８ｂ、…、１８ｎにより、対応するデータ信号を、ピクセルの列に出力する。このように、スキャンラインのスキャンと、データ信号の出力の繰り返しにより、所望のイメージが表示される。
【０００８】
【発明が解決しようとする課題】
しかし、各スキャンラインは、インピーダンスを有するワイヤであり、複数のトランジスタにより、複数のコンデンサを接続する。よって、スキャン信号はＲＣ効果（ＲＣ　ｅｆｆｅｃｔ）により影響を受けて、波形を変化させる。例えば、スキャンライン２０ｂ上のスキャン信号は、一般の波形を用いて、トランジスタ１２ｂｎのオン、オフを切り換えるが、ＲＣ効果の影響を受けて変形した波形を用いて、トランジスタ１２ｂａのオン、オフを切り換える。正常な波形も変形した波形も類似の効能を提供するが、変形した波形ではエラーが生じる。例えば、コンデンサ１６ｂａは正確なデータ信号を保存するが、コンデンサ１６ｂｎは不正確なデータ信号を受信する。更に、正確なデータ信号と不正確なデータ信号とにより、ＬＣＤ上で輝度や色の差が生じる。この差は、正、負周期が変化することにより知覚されるフリッカーを生じ、作業周波数が高いほど、ＬＣＤが大きいほどフリッカーが増大する。
本発明は、ＬＣＤパネルのフリッカーを減少させる方法と回路を提供することを目的とする。
【０００９】
【課題を解決するための手段】
上述の目的を達成するため、本発明の一態様では、ＬＣＤパネルのフリッカーを減少させる調整回路が提供される。調整回路は可変抵抗と、一対一でＬＣＤの複数のスキャンラインと同じ側において接続され、各々が可変抵抗によりＤＣ電圧源と結合される制御端と、コモン電圧源に結合される電源端とを備える複数のインピーダンス調整素子とからなる。各インピーダンス調整素子のインピーダンスは可変抵抗の抵抗値により変更される。
【００１０】
本発明の別の態様では、ＬＣＤパネルが提供される。ＬＣＤパネルは交差してマトリクスを形成する複数のスキャンラインと複数のデータラインと、前記スキャンラインと前記データラインの交点に配置された複数の表示単位と、前記データラインに接続されたデータドライバと、前記スキャンラインの第一端に接続されたスキャンドライバと、可変抵抗と、前記スキャンラインの第二端に一対一で接続され、前記可変抵抗により、ＤＣ電圧源に結合された制御端と、コモン電圧源に結合される電源端と、を備えるインピーダンス調整素子と、からなり、各インピーダンス調整素子のインピーダンスは可変抵抗の抵抗値により変更される。
【００１１】
本発明の更に別の態様では、ＬＣＤパネルフリッカー減少方法が提供される。その方法は複数のインピーダンス調整素子を、ＬＣＤパネルの複数のスキャンの第一端に一対一で接続する工程と、インピーダンス調整素子の制御端を、可変抵抗によりＤＣ電圧源に接続する工程と、前記インピーダンス調整素子の電圧端をコモン電圧源に接続する工程と、可変抵抗の抵抗値を変更して、各インピーダンス調整素子のインピーダンスを変更し、パネルフリッカーを減少させる工程とからなる。
【００１２】
【発明の実施の形態】
以下に本発明の好ましい実施の形態について挙げ、図を参照にしながら詳しく説明する。
図２は本発明の一実施形態のＬＣＤを示す図である。図２において、ＬＣＤは、スキャンドライバ３０、データドライバ４８、互いに交錯したデータライン３８ａ〜３８ｎとスキャンライン４０ａ〜４０ｍ、複数のピクセル（表示単位）３３、及び調整回路５０からなる。
【００１３】
図２で示されるように、スキャンドライバ３０はスキャンラインの一つを選択し、データドライバ４８はデータラインの一つを選択し、操作されるピクセルの一つを割り当てる。この他、スキャンラインのスキャンドライバ３０に接続されない全端は回路５０に接続される。ピクセル３３は、データライン３８ａとスキャンライン４０ｂにより選択される。各ピクセル３３は、トランジスタ３２ｂａ、コンデンサ３４ｂａ、及び液晶セル３６ｂａからなる。トランジスタ３２ｂａのゲート及びドレインは、それぞれ、スキャンライン４０ｂとデータライン３８ａとに接続され、スキャンライン４０ｂ上のスキャン信号により、トランジスタの３２ｂａのオン／オフを制御し、データライン３８ａ上のデータ信号を、ピクセル３３のコンデンサ３４ｂａ及び液晶セル３６ｂａに書き込む。データ信号は、電圧値により、コンデンサ３４ｂａに書き込まれ、液晶セル３６ｂａを駆動する。コンデンサ３４ｂａのもう一端は、スキャンライン４０ａに接続される。スキャンライン４０ｂが可能な時、スキャンライン４０ａは、補償電圧Ｖｇｃを提供することが出来る。
【００１４】
調整回路５０は可変抵抗４４と、複数のインピーダンス調整素子４２ａ〜４２ｍとを備える。調整素子４２ａ〜４２ｍはトランジスタである。調整素子４２ａ〜４２ｍの制御端、スキャンライン端、及び電源端は、それぞれ、可変抵抗４４、関連するスキャンライン、及びコモン電圧Ｖｃｏｍを提供するコモン電圧源に接続される。
【００１５】
ＤＣ電圧源４６は、可変抵抗４４により、要求されるＤＣ電圧を提供し、駆動電圧を供給して、調整素子４２ａ〜４２ｍを駆動し、調整素子４２ａ〜４２ｍの各インピーダンスはスキャンラインのインピーダンスよりはるかに大きい。スキャンドライバ３０はスキャンライン４０ａ、４０ｂ、…、４０ｍを出力し、ピクセルの列のトランジスタは即時にオンになり、他の列のトランジスタはオフになる。トランジスタがオンの時、データドライバ２２は、表示されるイメージデータに従って、データライン３８ａ、３８ｂ、…、３８ｎにより、対応するデータ信号をピクセルの列に出力する。この時、インピーダンス調整素子のインピーダンスはスキャンラインのインピーダンスより大きいので、スキャンラインのインピーダンスは無視してよい。よって、同じ条件下で、スキャンライン４０ｂ上のスキャン信号は、従来技術よりも優れたスキャン信号により、コンデンサ３４ｂａ及び３４ｂｎを駆動する。例えば、図２のコンデンサ３４ｂａと３４ｂｎに保存されたデータ信号間の電圧と、図１ｂの従来技術のコンデンサ１４ｂａと１４ｂｎに保存されたデータ信号間の電圧との差を比較する時、正駆動の間、後者は４５ｍＶであり（コンデンサは、電圧値によりデータ信号を保存するため）、前者は２４．８ｍＶであった。一方、負駆動の間、後者は１６０ｍＶで、前者は４５ｍＶであった。このように、本発明は輝度や色の差が従来技術より小さく、ＬＣＤパネルのフリッカー問題も改善された。
【００１６】
図３は本発明の一実施形態の方法を示すフローチャートである。本方法は以下の工程からなる。
工程１００において、インピーダンス調整回路を、ＬＣＤパネルの複数のスキャンラインの第一端に接続する。即ち、調整回路５０の調整素子４２ａ〜４２ｍのスキャン端をスキャンラインに一対一で接続する。
【００１７】
工程１１０において、インピーダンス調整回路の制御端を、可変抵抗を介してＤＣ電圧源に接続する。即ち、調整回路５０の調整素子４２ａ〜４２ｍの制御端をＤＣ電圧源４６に接続された可変抵抗４４に接続する。
【００１８】
工程１２０において、インピーダンス調整回路の電圧端を、コモン電圧源に接続する。即ち、調整回路５０の調整素子４２ａ〜４２ｍの電圧端を電圧値Ｖｃｏｍを提供するコモン電圧源に接続する。
【００１９】
工程１３０において、可変抵抗の抵抗値を変化させて、各インピーダンス調整素子のインピーダンスを変更し、パネルのフリッカーを減少する。即ち、可変抵抗４４のインピーダンスが変化して、インピーダンス調整素子のインピーダンスがスキャンラインのインピーダンスより相当高くなり、スキャンラインのインピーダンスは無視してよい。これにより、従来のＲＣ効果は消去される。
【００２０】
【発明の効果】
本願発明によれば、ＬＣＤパネルのフリッカーを減少することができ、特に大型のＬＣＤにおいて有効である。
【図面の簡単な説明】
【図１】（ａ）は一般のＬＣＤの反転駆動型を示し、（ｂ）は従来のＬＣＤを示す。
【図２】本発明の一実施形態のＬＣＤを示す図である。
【図３】本発明の一実施形態の方法を示すフローチャートである。
【符号の説明】
３０…スキャンドライバ
３２ｂａ〜３２ｂｎ…トランジスタ
３３…ピクセル
３４ｂａ〜３４ｂｎ…コンデンサ
３６ｂａ〜３６ｂｎ…液晶セル
３８ａ〜３８ｎ…データライン
４０ａ〜４０ｍ…スキャンライン
４２ａ〜４２ｍ…インピーダンス調整素子
４４…可変抵抗
４６…ＤＣ電圧源
４８…データドライバ
５０…調整回路
【図１】
2004013153.tif 000003
【図２】
2004013153.tif 000004
【図３】
2004013153.tif 000005